(57)【要約】      （修正有）【課題】商品券部に記載された金額以上の価値を付することができる絵柄模様付き商品券を提供する。【解決手段】絵柄模様付き商品券１０は、適宜の金額が記載された商品券部１０ａと、発行元が指定した固有の絵柄模様が印刷された情報伝達部１０ｂとから構成される。絵柄模様は写真、絵柄、文字、記号の少なくとも１つからなる。商品券部１０ａにおける法的効力の失効を表示する失効表示部が情報伝達部１０ｂ以外の箇所に設ける。【選択図】図１
0003198280.tif 000002
【実用新案登録請求の範囲】
【請求項１】
適宜の金額が記載された商品券部と、
発行元が指定した固有の絵柄模様が印刷された情報伝達部とから構成され、
前記絵柄模様は写真、絵柄、文字、記号の少なくとも１つからなり、
前記商品券部の法的効力が失効したことを表示する失効表示部が商品券部に設けられた絵柄模様付き商品券。
【請求項２】
前記失効表示部が、前記商品券部と前記情報伝達部との境界に形成されたミシン目であり、該商品券部と該情報伝達部とが切り離されることにより、該商品券部における法的効力が失効する請求項１に記載の絵柄模様付き商品券。
【考案の詳細な説明】
【技術分野】
【０００１】
この考案は、絵柄付き商品券、詳しくは商品券部と、情報伝達部とに構成し、商品等の受け取り時に商品券部のみを切り取ることができ、商品券部に記載された金額以上の価値（精神的価値を含む）を付することができる絵柄模様つき商品券に関する。
【背景技術】
【０００２】
図書券、酒券（ビール券等）、商品券等は、表面に記載されている金額に相当する本、ビール、商品と店頭で簡易に交換できるものであり、贈答用、進物用の商品券として利用されている。
しかしながら、一度商品券を使用すると、使用済み商品券は回収されてしまうことから、当該商品券の価値（精神的価値を含む）は、その商品券に記載された金額と同額となるに過ぎなかった。
【０００３】
そこで、商品券の価値を高めるための従来手段として、例えば特許文献１の「有価証券付きはがき」が知られている。特許文献１には、郵便はがきの表面または裏面に有価証券部が表示された商品券付きはがきが記載されている。有価証券付きはがきは、祝事、中元、歳暮等の贈答として郵便はがきの状態で、住所、氏名、あいさつ文等を記入しながら相手に手軽に郵送し、相手方は住所、氏名で送り手の感謝の気持ちを確認することができ、その後は表面または裏面に表示された有価証券部に記載された金額に応じて商品等を受け取るものである。
【先行技術文献】
【特許文献】
【０００４】
【特許文献１】実開平５−３９９７８号公報
【考案の概要】
【考案が解決しようとする課題】
【０００５】
しかしながら、特許文献１に記載の有価証券付きはがきは、商品等を受け取った際には、その有価証券付きはがきは回収されるか、有価証券部分を切り取る若しくは有価証券部分に使用済みのマークを入れることが必要となる。有価証券付きはがきが回収された場合には、商品等を受け取った後に再びあいさつ文等を読み返すことは不可能である。また、有価証券部分を切り取る場合または、有価証券部分に使用済みのマークを入れる場合であっても、あいさつ文などが記載された部分の一部が切り取られたり、マークが入れられたりする可能性がある。
【０００６】
そこで、考案者は、商品券の適宜の金額が記載された商品券部と、固有の絵柄模様が印刷された情報伝達部とに構成し、商品券部の法的効力の失効を表示する失効表示部が商品券部に設けることにより、商品券部に記載された金額以上の価値を付することができることを知見し、この考案を解決させた。
【０００７】
この考案は、商品券部に記載された金額以上の価値を付することができる絵柄模様付き商品券を提供することを目的とする。
【課題を解決するための手段】
【０００８】
請求項１に記載の考案は、適宜の金額が記載された商品券部と、発行元が指定した固有の絵柄模様が印刷された情報伝達部とから構成され、前記絵柄模様は写真、絵柄、文字、記号の少なくとも１つからなり、前記商品券部の法的効力が失効したことを表示する失効表示部が商品券部に設けられた絵柄模様付き商品券である。
【０００９】
請求項１に記載の考案によれば、絵柄模様付き商品券は、商品券部と、情報伝達部とから構成されている。商品券部は、適宜の金額を記載することにより商品券として利用することが可能である。情報伝達部には、発行元が指定した固有の絵柄模様が印刷されている。絵柄模様は、写真、絵柄、文字、記号の少なくとも１つから構成されている。情報伝達部に、固有の絵柄模様を印刷することにより、絵柄模様付き商品券の受け取り者はその情報を取得することができる。
商品券とは、表面に記載されている金額に相当する本、ビール、商品と店頭で簡易に交換できるものであり、一般の商品券の他に、例えば、図書券、酒券（ビール券等）等が含まれる。
情報伝達部に記載される絵柄模様の種類は特に問わず、発行元が撮影等した風景写真や絵画、発行元の宣伝広告などを印刷することができる。また、情報伝達部に、直接メッセージを書き込んだりすることができる。
ここでいう発行元とは、絵柄模様付き商品券の発行を依頼した者をいい、具体的には絵柄模様付き商品券の発行者に対し、発行を依頼した企業、個人商店または個人である。
【００１０】
この絵柄模様付き商品券における商品券としての法的効力は、商品等の受け取りによって失効する。この失効を表示するための失効表示部が商品券部に設けられている。これにより、情報伝達部が破損等されることなく、情報伝達部の価値を損なうことはない。
失効表示部に商品券の失効を表示する手段は任意である。失効の印を押印する方法、商品券部の全部または一部を切り取る方法などが挙げられる。
【００１１】
以上のことから、商品等の受け取り時に商品券部における商品券を失効させることにより、当該絵柄模様付き商品券を、その受け取り者が保存することは可能となる。そして、情報伝達部には各種情報が明確となる絵柄模様が印刷されていることから、当該絵柄模様付き商品券を受け取った者は、絵柄模様付き商品券に記載された情報を保存することが可能となる。
ここで、送り手の情報とは、絵柄模様付き商品券を送る側の情報であって、近況報告や、宣伝広告、又は祝事、中元、歳暮等の感謝等の気持ちのように精神的な感情を示すものなどである。
このようにすることにより、商品券部に記載された金額以上の価値を絵柄模様付き商品券に付することができる。すわなち、絵柄模様付き商品券の価値は、商品券部に記載された金額に、情報伝達部に記載された情報の価値（精神的価値を含む）を加えたものである。
【００１２】
請求項２に記載の考案は、前記失効表示部が、前記商品券部と前記情報伝達部との境界に形成されたミシン目であり、該商品券部と該情報伝達部とが切り離されることにより、該商品券部における法的効力が失効する請求項１に記載の絵柄模様付き商品券である。
【００１３】
請求項２に記載の考案によれば、商品券部と情報伝達部との間にミシン目を形成することにより、商品券部と情報伝達部とを容易に分離することが可能であり、商品券部と情報伝達部とが分離した時点で商品券の効力が失効することをこの絵柄模様付き商品券に表示していれば、該ミシン目が失効表示部としての機能を有することになる。そして、ミシン目に沿って分離可能とすることから、商品券部を切り落とす際に、情報伝達部の一部が破損等することを防ぐことができ、その結果、情報伝達部の価値の低下を防ぐことができる。
また、絵柄模様に絵柄を付し、商品券部を切り取ることにより、情報伝達部が、独立して機能を発揮することができる。このため、例えば、情報伝達部が名刺や会員証等の代わりとして利用することができる。また、収集目的に発行するトレーディングカード（個々に異なる様々な種類の絵柄の交換（トレード）や収集（コレクション）を意図して、販売・配布されることを前提に作られた鑑賞用・ゲーム用のカード）等に利用されるものであってもよく、このような使用方法であれば、極めて付加価値の高い絵柄模様付き商品券とすることができる。
【考案の効果】
【００１４】
請求項１に記載の考案によれば、商品等の受け取り時に商品券部のみを切り取り、情報伝達部のみを保存することが可能となる。そして、情報伝達部には送り手の情報が明確となる絵柄模様が印刷されていることから、当該絵柄付き商品券を受け取った者は、各種情報を受け取ることが可能となる。そして、絵柄模様付き商品券における商品券としての法的効力の失効を表示するための失効表示部が商品券部に設けられている。これにより、情報伝達部が破損等されることなく、情報伝達部の価値を損なうことはない。
このようにすることにより、商品券部に記載された金額以上の価値を絵柄模様付き商品券に付することができる。
【００１５】
請求項２に記載の考案によれば、商品券部と情報伝達部との間にミシン目を形成することにより、商品券部と情報伝達部とを容易に分離することが可能であり、商品券部と情報伝達部とが分離した時点で商品券の効力が失効することをこの絵柄模様付き商品券に表示していれば、該ミシン目が失効表示部としての機能を有することになる。そして、ミシン目に沿って分離可能とすることから、商品券部を切り落とす際に、情報伝達部の一部が破損等することを防ぐことができ、その結果、情報伝達部の価値の低下を防ぐことができる。
また、絵柄模様に絵柄を付し、商品券部を切り取ることにより、情報伝達部が、収集目的に発行するトレーディングカード等に利用されるものであってもよく、このような使用方法であれば、極めて付加価値の高い絵柄模様付き商品券とすることができる。
【図面の簡単な説明】
【００１６】
【図１】この考案の実施例１に係る絵柄模様付き商品券の平面図である。
【図２】この考案の実施例１に係る絵柄模様付き商品券の底面図である。
【図３】この考案の実施例２に係る絵柄模様付き商品券の平面図である。
【考案を実施するための形態】
【００１７】
以下、この考案の実施例を具体的に説明する。
【実施例１】
【００１８】
図１，２に示すように、この考案の実施例１に係る絵柄模様付き商品券１０は、商品券部１０ａと、情報伝達部１０ｂとから構成されている。商品券部１０ａは、この実施例として商品券として１０００円の価値を有するものである。この商品券部１０ａは、偽造防止のための透かし等が特殊インクによって印刷されている（図示しない）。
情報伝達部１０ｂには、写真１１が印刷されている。そして、この写真１１の下方に写真の説明１２が文字として付されている。情報伝達部１０ｂに、写真１１と写真の説明１２とを印刷することにより、絵柄模様付き商品券１０の受け取り者はその写真情報を取得することができる。
【００１９】
この絵柄模様付き商品券における商品券としての法的効力は、商品等の受け取りによって失効する。この失効を表示するための失効表示部１３が商品券部１１の裏面に付されている。この失効表示部１３の３つの欄に使用した時点で押印する使用消印、使用したことを確認する確認印、清算が完了したときに押印する清算済印を押印することにより、商品券の法的効力が失効する。
【００２０】
失効表示部１３に押印することで、商品等の受け取り時に商品券部１０ａにおける商品券の法的効力を失効させることにより、当該絵柄模様付き商品券１０を、その受け取り者が保存することは可能となる。このため、絵柄模様付き商品券１０を受け取った者は、その絵柄模様付き商品券１０を保存することが可能となる。
【００２１】
次にこの考案の実施例１に係る絵柄模様付き商品券１０の運用の一例として、商店街に存在する複数の商店から構成される協同組合が絵柄模様付き商品券１０を発行する場合について説明する。
なお、当該説明は一例であって、組織の構造等により適宜調整されるべきものである。
商店街に存在する複数の商店のうちの任意の一店舗が自店舗の宣伝広告を兼ねた商品券の発行を依頼する際に、情報伝達部１０ｂに掲載する写真１１の写真データ（例えば、発行を依頼した店舗が使用しているマスコットキャラクターが撮影された写真の写真データ）と写真の説明１２の欄に掲載する内容（例えば、そのマスコットキャラクターの説明）を発行者に渡す。
発行者は、印刷業者に情報伝達部１０ｂに掲載する写真１１の写真データと写真の説明１２の欄に掲載する内容を引き渡す。
印刷業者は受領した写真１１の写真データと写真の説明１２の欄に掲載する内容をコンピュータにて読み込み、絵柄模様付き商品券１０をデザインし、その後、指定された商品券の金額、枚数に応じて絵柄模様付き商品券１０を印刷し、発行者に絵柄模様付き商品券１０を引き渡すとともに印刷代金を受領する。その後、印刷された絵柄模様つき商品券１０を、その発行を依頼した店舗に引き渡すとともに商品券の発行代金を受領する。
その後、発行を依頼した店舗は、当該絵柄模様付き商品券１０を無償で配布する。マスコットキャラクター関連の物の収集を趣味にしている者であれば、当該絵柄模様付き商品券１０の価値は、商品券部１０ａに示された金額以上の価値を有すると判断するとともに、商品券として利用した後も、情報伝達部１０ｂは破損等されず、良好な状態のまま情報伝達部１０ｂを保存することができる。
【実施例２】
【００２２】
図３に示すように、この考案の実施例２に係る絵柄模様付き商品券２０は、商品券部２０Ａと、情報伝達部２０Ｂとの境界にミシン目２３が形成されている。
この絵柄模様付き商品券２０における商品券としての法的効力は、ミシン目に沿って切り話すことにより、失効する。すなわち、このミシン目２３が、実施例１における失効表示部１３に相当する。
そして、商品券としての法的効力が失効した絵柄模様付き商品券２０において、情報伝達部２０Ｂは通常カードとして利用されているもの（例えば名刺や会員証等）の代替として独立して再使用することができる。商品券部２０Ａから切り離された情報伝達部２０Ｂを名刺として利用する場合、情報伝達部２０Ｂの大きさは名刺サイズ（９１ｍｍ×５５ｍｍ）となり、商品券部の縦方向の長さが９１ｍｍとなる。情報伝達部２０Ｂをトレーディングカード（一般的なサイズ８９ｍｍ×６３ｍｍ）として利用する場合には、商品券部の縦方向の長さが８９ｍｍとなる。また、絵柄模様付き商品券部２０の材質は、情報伝達部２０Ｂの機能に応じて適宜変更される。例えば、情報伝達部２０Ｂを名刺として利用する場合は紙製、トレーディングカードとして利用する場合には、プラスチック製とすることができる。
その他の構造、作用、効果は実施例１と同様であるため省略する。
【産業上の利用可能性】
【００２３】
この考案の絵柄模様つき商品券は、付加価値の高い商品券に対する技術として有用である。
【符号の説明】
【００２４】
１０，２０  絵柄模様付き商品券、
１０ａ，２０Ａ  商品券部、
１０ｂ，２０Ｂ  情報伝達部、
１３  失効表示部、
２３  ミシン目。
【図１】
0003198280.tif 000003
【図２】
0003198280.tif 000004
【図３】
0003198280.tif 000005